(57)【要約】【課題】対辺寸法差の小さい、二種類のサイズのナットの締付に共用できるレンチ用ソケットを実現する。【解決手段】大サイズナットに嵌合するナット嵌合部２を備えたソケット本体２の内奥部に、ガイド軸３を固定する。ガイド軸には、コイルバネ４の弾性によって先方に付勢され、ガイド軸に沿って移動する移動体５を配置する。移動体５には、ナット嵌合部２の角孔隅部に摺接し、コイルバネの弾性によって押し出された状態で先端がナット嵌合部の開口端付近に位置するピン5bを設けることにより、小サイズナットの頂点がピン5bと5bの間に入り込み、ナットの側面にピン5bが当接して小サイズナットを回動させる。大サイズナットに使用すると、大サイズナットが移動体５を押し込み、ナット嵌合部２に嵌合する。【選択図】  図１
0003178376.tif 000002
【実用新案登録請求の範囲】
【請求項１】
大サイズのナットに嵌合するナット嵌合部を備えた筒状のソケット本体の内奥部に、外方端に抜け止め手段を形成したガイド軸を固定し、該ガイド軸にバネの弾性によって先方に付勢され、ガイド軸に沿って軸方向に移動する移動体を配置し、
前記移動体には、ナット嵌合部の角孔隅部に摺接し、バネの弾性によって押し出された状態で先端がナット嵌合部の開口端付近に位置するピンを具備し、
小サイズナットの頂点がピンとピンの間に入り込み、小サイズナットの側面にピンを当接させることによってソケット本体の回動にともなって小サイズナットを回動させるとともに、
大サイズナットがピンの先端面に当接することによって移動体が押し込まれ、ナット嵌合部によって大サイズナットを回動させることを特徴とするレンチ用ソケット。
【請求項２】
移動体は、外周がソケット本体のナット嵌合部内面に、内周がガイド軸の外周面にそれぞれ遊嵌合して軸方向に摺動する主体部と、主体部から先方に向けて突出するピンを一体に形成したことを特徴とする請求項１記載のレンチ用ソケット。
【考案の詳細な説明】
【技術分野】
【０００１】
本考案はボルト頭、ナットを締付ける為のレンチ用ソケット、主として電動工具によって回転駆動する電動レンチ用ソケットの構造に関する考案である。
【背景技術】
【０００２】
従来、レンチ用ソケットは締付けるナットサイズに対応して、サイズの異なるソケットを多数準備しておき、適宜取り替えて使用している。したがって、複数種類のサイズのナットを締付けるには、ナットサイズに対応して複数のソケットを準備しておき、頻繁にソケットを取り替えて作業を進める必要があり能率的ではなかった。
一つのソケットで複数のサイズのナットを締付けることができるように、特許文献１にはソケットを入れ子式とする思想が開示されている。一般的には二種類のサイズのソケットを入れ子式としたものが実用化されている。内部に収容される小さなサイズのソケットを、バネによって先方に付勢しておき大サイズのナットによって押し込んで、大きなサイズのナットの締付けが行なえるようにしたものも実施されている。
特許文献２には、軸方向に移動する多数の棒状体(セル棒)を配置し、一部の棒状体を締付けようとするナットで押し込み、任意サイズのナットを締付けることができるラチェットレンチの発明が開示されている。同じ構造をソケットレンチに応用したものも実用化されている。
【先行技術文献】
【特許文献】
【０００３】
【特許文献１】実開昭６３−４４７７５号公報
【特許文献２】特開２０１２−９１２５０号公報
【考案の概要】
【考案が解決しようとする課題】
【０００４】
特許文献１に開示されるような、入れ子式のソケットでは、大サイズのソケットの内部に配置する小サイズのソケットとのサイズ差を比較的大きなものとする必要がある。例えば、図７(ａ)に示すように、大サイズソケットＡの対辺寸法D1と小サイズソケットＢの対辺寸法D2の寸法差が大きい場合には二点鎖線で示す円筒寸法を確保し、強度的に丈夫なものとして実施することができる。しかしながら、図７(ｂ)に示すように大サイズソケットＡの対辺寸法D1と、寸法差の少ない対辺寸法D3の小サイズソケットを実施しようとすると、図７(ｂ)に示すように、小サイズソケットの肉厚が薄くなって、強度的に実施することができない。
【０００５】
しかしながら、現実の使用状態においては、サイズ差の少ないナットの締付け作業を行なう場合が多い。この場合、複数のソケットを準備しておき、適宜使い分ける必要があった。具体的には、対辺寸法１７mmと２１mmの入れ子式のソケットは存在するが、対辺寸法１９mmと２１mmの入れ子式のソケットは存在しない(図７参照)。ところが、現実には対辺寸法１９mmと２１mmのソケットを必要とする場合が少なくない。このような現状に鑑み、本考案は対辺寸法が１９mmと２１mmといった、対辺寸法差の小さいサイズのナットの締付に共用することができるソケットを実現することを目的とするものである。
【考案の開示】
【課題を解決するための手段】
【０００６】
上記目的を達成するため、請求項１記載の考案は、大サイズのナットに嵌合するナット嵌合部２を備えた筒状のソケット本体１の内奥部に、外方端に抜け止め手段を形成したガイド軸３を固定し、このガイド軸３にバネの弾性によって先方に付勢し、ガイド軸３に沿って軸方向に移動する移動体５を配置する。
移動体５には、ナット嵌合部２の全ての角孔隅部に摺接し、バネの弾性によって押し出された状態で先端がナット嵌合部２の開口端付近に位置するピン5b、5bを具備する。上記構成とすることによって、小サイズナットB’の頂点がピン5bとピン5bの間に入り込み、小サイズナットB’の側面にピン5bを当接させ、ソケット本体１の回動にともなって小サイズナットB’を回動させる。
大サイズナットA’は、ソケットのナット嵌合部に挿入しようとする場合に、大サイズナットA’がピン5bの先端面に当接することによって移動体５が押し込まれ、ナット嵌合部２によって大サイズナットA’を回動させることができる。
【０００７】
請求項２記載の考案は、移動体５の具体的構造に係るものである。
移動体５は、外周がソケット本体１のナット嵌合部２内面に、内周がガイド軸３の外周面にそれぞれ遊嵌合して軸方向に摺動する主体部5aと、主体部5aから先方に向けて突出するピン5b、5bを一体に形成することである。
【考案の効果】
【０００８】
請求項１記載の考案によれば、入れ子式では実現することができない、対辺寸法差が小さな二種類のナットを締付けるのに利用することができるソケットを実現することができる。すなわち、移動体５のピン5b、5bがソケット嵌合部の角孔隅部に摺接することによって、小サイズナットB’の頂点がピン5bと5bの間に入り込み、小サイズナットB’の辺とピン5b、5bとを当接させることができる。この状態で、ソケット本体１を回動させることによって、小サイズナットB’を締付けることができる。
【０００９】
大サイズナットA’を締付けるために、大サイズナットA’をソケットのナット嵌合部２に挿入しようとすると、大サイズナットA’がピン5bの先端面に当接して移動体５を押し込み、大サイズナットA’がナット嵌合部２に嵌合し、ソケット本体１を回動させることによって大サイズナットA’を締付ける。
【００１０】
請求項２記載の考案によれば、ナット嵌合部２の角孔隅部に摺接するピン5b、5bを、主体部5aと一体の移動体５として容易に実施することができる。この移動体５は、主体部5aの外周がソケット本体１のナット嵌合部２内面に沿って移動するとともに、ナット嵌合部２の角孔隅部に摺接するピン5b、5bが、ガイドとなって円滑に移動させることができる。
【図面の簡単な説明】
【００１１】
【図１】図１は、本考案に係るレンチ用ソケットの実施形態を示す分解斜視図、
【図２】図２は、本考案に係るレンチ用ソケット全体の斜視図、
【図３】図３は、本考案に係るレンチ用ソケットの縦断面図、
【図４】図４は、大サイズナットの締付状態を示す本考案に係るレンチ用ソケットの縦断面図、
【図５】図５は、小サイズナットの締付状態を示す本考案に係るレンチ用ソケットの縦断面図、
【図６】図６は、図３のVI−VI線断面図、
【図７】図７は、従来の入れ子式のソケットの一例を示すソケット部分の断面図である。
【考案を実施するための最良の形態】
【００１２】
以下、本考案に係るレンチ用ソケットの実施形態を、添付の図面に基づいて説明する。
図１は、本考案に係るレンチ用ソケットの実施形態を示す分解斜視図、図２は、本考案に係るレンチ用ソケット全体の斜視図、図３は、本考案に係るレンチ用ソケットの縦断面図である。
【００１３】
本考案に係るレンチ用ソケットは、大サイズナットA’に嵌合するナット嵌合部２を備えた筒状のソケット本体１と、ソケット本体１の内奥部に配置するガイド軸３と、ガイド軸に沿って軸方向に移動する移動体５で構成する。
ソケット本体１の先方部は比較的長寸法のナット嵌合部２となる角筒状である。ナット嵌合部２の断面形状は、図６から理解されるように、ナットが嵌合する六角形状二つを３０度ずらせて配置した公知の形状であって、菊形と通称されている。ソケット本体１の基端部は、電動工具との接続部６である。図示実施形態では四角軸の連結構造であるが、ドライバービットなどの六角軸との連結構造であってもよい。
【００１４】
ガイド軸３は、先端に抜け止め手段として外鍔3aを形成した筒状とし、その基端部に係止溝７を刻設するとともに、ソケット本体１の内奥に嵌合孔８を穿設するとともに嵌合孔８の内周面に係止溝９を刻設し、ガイド軸３の係止溝７と、嵌合孔８の係止溝９に係止ピン10を嵌入することによってソケット本体１の、ナット嵌合部２の内奥にガイド軸３を固定している。
【００１５】
ガイド軸３には、コイルバネ４の弾性によって先方に付勢され、軸方向に移動する移動体５を配置している。移動体５は、ガイド軸に遊嵌合をする主体部5aと、主体部5aと一体に形成されるピン5bとで構成している。主体部5aは、外周がソケット本体１のナット嵌合部２内面に、内周がガイド軸３の外周面にそれぞれ遊嵌合して軸方向に摺動する。主体部5aと一体に形成するピン5b、5bは、主体部から先方に向けて突出し、ナット嵌合部２の角孔隅部に摺接している。そして、コイルバネ４の弾性によって押し出された状態で、ピン5b、5bの先端をナット嵌合部２の開口端と一致するようにしている。ピン5b、5bは全ての角孔隅部に摺接するように、１２本を形成している。
【００１６】
上記構成のレンチ用ソケットを用いて、ソケット本体１のナット嵌合部２に嵌合する大サイズナットA’を締付けるために、ソケットの開口部から大サイズナットA’ナットを挿入しようとすると、大サイズナットA’がピン5bの先端面に当接する。この状態でソケットを押し進めると、大サイズナットA’によって移動体５が押し込まれ、図４に示すようにナット嵌合部２の角孔(菊)に大サイズナットA’が嵌合して大サイズナットA’を回動させる。すなわち、図６に示す対辺寸法D1に嵌合する大サイズナットA’を締付けることができる。
【００１７】
ソケットの開口部に小サイズナットB’を挿入させると、図６に二点鎖線で示すように、小サイズナットB’の頂点がピン5bと5bの間に入り込み、ピン5b、5bが小サイズナットB’の各辺に当接する。したがって、ソケット本体１が回動すると小サイズナットB’も回動する。そのため、小サイズナットB’を締付けることができる。
【００１８】
本考案により締付けることができるナット(ソケット)の組み合わせ、すなわち大サイズソケットの対辺寸法D1、D2の組み合わせは、例えば対辺寸法１９mmと２１mmというように、比較的寸法差の小さいものとすることができる。大サイズナットA’を締付けるソケットの対辺寸法D1に対して組み合わせる小寸法ナットB’の対辺寸法D3は、ピン5b、5bの直径と関連する。すなわち、ピンの直径を大きくすると適応する小サイズナットの対辺寸法を小さくすることができる。
【００１９】
ただし、ピンの直径が小さすぎる場合は、挿入した小サイズナットの頂点がソケットのナット嵌合部、すなわち、角孔(菊)の内径部分に接触することになる。したがって、適応する小サイズナットは、ナット嵌合部の内径に頂点が接触せず、角孔隅部に配置したピン5bが小サイズナットの側面に当接する寸法とし、大サイズナットと小サイズナットの組み合わせを選択する。
【符号の説明】
【００２０】
１…ソケット本体、  ２…ナット嵌合部、  ３…ガイド軸、  3a…鍔、  ４…コイルバネ、  ５…移動体、  5a…主体部、  5b…ピン、  ６…接続部、  ７、９…係止溝、  ８…嵌合孔、  10…係止ピン、  Ａ…大サイズソケット、  Ｂ…小サイズソケット、  A’…大サイズナット、  B’…小サイズナット、  D1…大サイズソケットの対辺寸法、  D2、D3…小サイズソケットの対辺寸法。
【図１】
0003178376.tif 000003
【図２】
0003178376.tif 000004
【図３】
0003178376.tif 000005
【図４】
0003178376.tif 000006
【図５】
0003178376.tif 000007
【図６】
0003178376.tif 000008
【図７】
0003178376.tif 000009